(57)【特許請求の範囲】
【請求項１】
カーブミラーの表面全面に送風できる位置に設置された送風機と、カーブミラーの表面全面に超音波を発振できる位置に設置された超音波発振装置と、を具備し、かつ、カーブミラーの表面に向けて、前記送風機による送風と同時に、前記超音波発振装置による超音波発振を行うようにされていることを特徴とするカーブミラーの曇り防止装置。
【請求項２】
風力発電装置及び／又は太陽光発電装置と、前記風力発電装置及び／又は太陽光発電装置から得られる電力を蓄電する蓄電装置と、前記蓄電装置の電力により駆動する、送風機並びに超音波発振装置と、を具備し、カーブミラーの表面に向けて、カーブミラーの表面全面に送風できる位置に設置された前記送風機による送風と同時に、カーブミラーの表面全面に超音波を発振できる位置に設置された前記超音波発振装置による超音波発振を行うようにされていることを特徴とするカーブミラーの曇り防止装置。
【請求項３】
風力発電装置及び／又は太陽光発電装置と、前記風力発電装置及び／又は太陽光発電装置から得られる電力を蓄電する蓄電装置と、前記蓄電装置の電力により駆動する、送風機並びに超音波発振装置と、温度センサ及び濡れセンサよりなる検知手段と、前記検知手段により検知された値に従って送風機並びに超音波発振装置の駆動を制御する制御手段と、を具備し、カーブミラーの表面に向けて、カーブミラーの表面全面に送風できる位置に設置された前記送風機による送風と同時に、カーブミラーの表面全面に超音波を発振できる位置に設置された前記超音波発振装置による超音波発振を行うようにされていることを特徴とするカーブミラーの曇り防止装置。
【請求項４】
請求項１〜３のいずれかに記載のカーブミラーの曇り防止装置を取り付けてなるカーブミラー。
【請求項５】
カーブミラーの曇りを防止するにあたり、カーブミラーの表面に向けて、カーブミラーの表面全面に送風できる位置に設置された送風機による送風と同時に、カーブミラーの表面全面に超音波を発振できる位置に設置された超音波発振装置による超音波発振を行うことを特徴とするカーブミラーの曇り防止方法。
【請求項６】
カーブミラーの曇りを防止するにあたり、風力発電装置及び／又は太陽光発電装置から得られる電力を蓄電装置に蓄電し、前記蓄電装置に蓄電された電力により送風機並びに超音波発振装置を駆動させて、カーブミラーの表面に向けて、カーブミラーの表面全面に送風できる位置に設置された前記送風機による送風と同時に、カーブミラーの表面全面に超音波を発振できる位置に設置された前記超音波発振装置による超音波発振を行うことを特徴とするカーブミラーの曇り防止方法。
【請求項７】
カーブミラーの曇りを防止するにあたり、風力発電装置及び／又は太陽光発電装置から得られる電力を蓄電装置に蓄電し、前記蓄電装置に蓄電された電力により送風機並びに超音波発振装置を駆動させると共に、温度センサ及び濡れセンサよりなる検知手段により検知された値に従って前記送風機並びに前記超音波発振装置の駆動を制御しつつ、カーブミラーの表面に向けて、カーブミラーの表面全面に送風できる位置に設置された前記送風機による送風と同時に、カーブミラーの表面全面に超音波を発振できる位置に設置された前記超音波発振装置による超音波発振を行うことを特徴とするカーブミラーの曇り防止方法。
【発明の詳細な説明】
【０００１】
【発明の属する技術分野】
本発明は、カーブミラーの曇り防止装置、及び該装置を取り付けたカーブミラー、並びにカーブミラーの曇り防止方法に関する。さらに詳しくは、本発明は、道路に設置されるカーブミラーの表面に付着した霜や、雨風に吹かれ凸面鏡の表面を濡らし水滴となったものを、自然でクリーンなエネルギー（太陽光発電、風力発電）を利用して自動的に除去する装置、及び該装置を取り付けたカーブミラー、並びにカーブミラーの曇り防止方法に関する。
【０００２】
【従来の技術】
見通しの悪いカーブや交差点などには、交通安全の見地から、自動車運転者から常に安全が確認できる状態を保ち易い位置と高さに多くのカーブミラーが設置されており、交通事故防止に役立っている。
【０００３】
しかし、晩秋から冬季における寒冷地域や標高の高い地域などでは、気象条件により、急激に気温が下がることがあり、このため、カーブミラーの凸面鏡に雪や霜が付着したり、夜露などが凍結したりして、曇りを生じていることがある。また、これら地域に限られず、雨風に吹かれ凸面鏡の表面を濡らし水滴となったりして、曇りを生じていることがある。
煤煙などの付着による凸面鏡の汚れ落としや破損箇所の修理など、カーブミラーとしての機能を果たすための維持管理は定期的に行われているものの、このような主に自然条件に起因する曇りの発生に対しては、これまで有効な対策は講じられてはおらず、極めて危険な状態であった。
【０００４】
そこで、自動車運転者はもとより、歩行者にとっても交通安全確認の上で重要な手段となっており、交通安全に対して大きな役割を果たしているカーブミラーを、自然条件の中で常に正常な状態に維持し、視界を充分に確保しうる、強力な曇り防止装置の開発が強く望まれている。
【０００５】
【発明が解決しようとする課題】
本発明は、このような要望に応えたものであって、道路に設置されるカーブミラーの表面に付着した霜や、雨風に吹かれ凸面鏡の表面を濡らし水滴となったものを、自動的に除去することのできるカーブミラーの曇り防止装置、及び該装置を取り付けたカーブミラー、並びにカーブミラーの曇り防止方法を提供することを目的とするものである。
【０００６】
【課題を解決するための手段】
本発明者らは、上記課題を解決するため鋭意検討した結果、送風機と超音波発振装置とを組み合わせることにより、有効にカーブミラーの曇りを防止することができることを見出し、この知見に基づいて本発明を完成するに至った。
【０００７】
即ち、請求項１に係る本発明は、カーブミラーの表面全面に送風できる位置に設置された送風機と、カーブミラーの表面全面に超音波を発振できる位置に設置された超音波発振装置と、を具備し、かつ、カーブミラーの表面に向けて、前記送風機による送風と同時に、前記超音波発振装置による超音波発振を行うようにされていることを特徴とするカーブミラーの曇り防止装置を提供するものである。
【０００８】
請求項２に係る本発明は、風力発電装置及び／又は太陽光発電装置と、前記風力発電装置及び／又は太陽光発電装置から得られる電力を蓄電する蓄電装置と、前記蓄電装置の電力により駆動する、送風機並びに超音波発振装置と、を具備し、カーブミラーの表面に向けて、カーブミラーの表面全面に送風できる位置に設置された前記送風機による送風と同時に、カーブミラーの表面全面に超音波を発振できる位置に設置された前記超音波発振装置による超音波発振を行うようにされていることを特徴とするカーブミラーの曇り防止装置を提供するものである。
【０００９】
請求項３に係る本発明は、風力発電装置及び／又は太陽光発電装置と、前記風力発電装置及び／又は太陽光発電装置から得られる電力を蓄電する蓄電装置と、前記蓄電装置の電力により駆動する、送風機並びに超音波発振装置と、温度センサ及び濡れセンサよりなる検知手段と、前記検知手段により検知された値に従って送風機並びに超音波発振装置の駆動を制御する制御手段と、を具備し、カーブミラーの表面に向けて、カーブミラーの表面全面に送風できる位置に設置された前記送風機による送風と同時に、カーブミラーの表面全面に超音波を発振できる位置に設置された前記超音波発振装置による超音波発振を行うようにされていることを特徴とするカーブミラーの曇り防止装置を提供するものである。
【００１０】
請求項４に係る本発明は、請求項１〜３のいずれかに記載のカーブミラーの曇り防止装置を取り付けてなるカーブミラーを提供するものである。
【００１１】
請求項５に係る本発明は、カーブミラーの曇りを防止するにあたり、カーブミラーの表面に向けて、カーブミラーの表面全面に送風できる位置に設置された送風機による送風と同時に、カーブミラーの表面全面に超音波を発振できる位置に設置された超音波発振装置による超音波発振を行うことを特徴とするカーブミラーの曇り防止方法を提供するものである。
【００１２】
請求項６に係る本発明は、カーブミラーの曇りを防止するにあたり、風力発電装置及び／又は太陽光発電装置から得られる電力を蓄電装置に蓄電し、前記蓄電装置に蓄電された電力により送風機並びに超音波発振装置を駆動させて、カーブミラーの表面に向けて、カーブミラーの表面全面に送風できる位置に設置された前記送風機による送風と同時に、カーブミラーの表面全面に超音波を発振できる位置に設置された前記超音波発振装置による超音波発振を行うことを特徴とするカーブミラーの曇り防止方法を提供するものである。
【００１３】
請求項７に係る本発明は、カーブミラーの曇りを防止するにあたり、風力発電装置及び／又は太陽光発電装置から得られる電力を蓄電装置に蓄電し、前記蓄電装置に蓄電された電力により送風機並びに超音波発振装置を駆動させると共に、温度センサ及び濡れセンサよりなる検知手段により検知された値に従って前記送風機並びに前記超音波発振装置の駆動を制御しつつ、カーブミラーの表面に向けて、カーブミラーの表面全面に送風できる位置に設置された前記送風機による送風と同時に、カーブミラーの表面全面に超音波を発振できる位置に設置された前記超音波発振装置による超音波発振を行うことを特徴とするカーブミラーの曇り防止方法を提供するものである。
【００１４】
【発明の実施の形態】
以下、本発明を図面により説明する。図１は、本発明のカーブミラーの曇り防止装置を取り付けてなるカーブミラーの一態様を示す説明図であり、図２は、図１における曇り防止装置を取り付けてなるカーブミラー本体部の断面状態を示す説明図である。
【００１５】
本発明のカーブミラーの曇り防止装置は、請求項１に記載したように、カーブミラーの表面全面に送風できる位置に設置された送風機と、カーブミラーの表面全面に超音波を発振できる位置に設置された超音波発振装置と、を具備し、かつ、カーブミラーの表面に向けて、前記送風機による送風と同時に、前記超音波発振装置による超音波発振を行うようにされていることを特徴とするものであるが、請求項２に記載したように、風力発電装置及び／又は太陽光発電装置と、前記風力発電装置及び／又は太陽光発電装置から得られる電力を蓄電する蓄電装置と、前記蓄電装置の電力により駆動する、送風機並びに超音波発振装置と、を具備したものであることが望ましい。さらには請求項３に記載したように、風力発電装置及び／又は太陽光発電装置と、前記風力発電装置及び／又は太陽光発電装置から得られる電力を蓄電する蓄電装置と、前記蓄電装置の電力により駆動する、送風機並びに超音波発振装置と、温度センサ及び濡れセンサよりなる検知手段と、前記検知手段により検知された値に従って送風機並びに超音波発振装置の駆動を制御する制御手段と、を具備したものであることが最も望ましいものである。
従って、図１、２では、この最も望ましい請求項３に係る本発明のカーブミラーの曇り防止装置を取り付けてなるカーブミラーの一態様を示している。
【００１６】
請求項１に係る本発明のカーブミラーの曇り防止装置は、カーブミラーの表面全面に送風できる位置に設置された送風機１と、カーブミラーの表面全面に超音波を発振できる位置に設置された超音波発振装置２と、を具備し、かつ、カーブミラーの表面に向けて、前記送風機１による送風と同時に、前記超音波発振装置２による超音波発振を行うようにされていることを特徴とするものであり、両者の相乗効果によって強力に曇り防止を図るものであって、いずれか一方のみを具備していても本発明の目的を達成することはできない。また、少なくとも送風機１と、超音波発振装置２と、を具備していれば、曇り防止という本発明の目的を達成することができる。
なお、図１、２中、符号Ａはカーブミラー全体を指しており、符号Ｂは（カーブミラーの）凸面鏡であり、符号Ｃは（カーブミラーの）庇である。符号Ｄはポール（支柱）である。符号Ｅはポール取付け具であって、このポール取付け具Ｅによって、カーブミラーＡがポールＤに取り付けられている。
【００１７】
ここで「曇り」とは、前記したように、晩秋から冬季における寒冷地域や標高の高い地域などで、急激に気温が下がるなどの理由により、カーブミラーの凸面鏡に雪や霜が付着したり、夜露などが凍結したりして、曇りを生じる場合や、雨風に吹かれ凸面鏡の表面を濡らし水滴となったりして、曇りを生じる場合など、要するに人為的理由ではなく、気象条件に起因してカーブミラーの凸面鏡が視認し難い状態となることを指している。従って、本発明のカーブミラーの曇り防止装置は、自動霜避け及び雨水滴除去装置などと言うこともできる。
【００１８】
請求項２に係る本発明のカーブミラーの曇り防止装置は、そのような送風機１と、超音波発振装置２と、に加えて、風力発電装置３及び／又は太陽光発電装置４と、前記風力発電装置３及び／又は太陽光発電装置４から得られる電力を蓄電する蓄電装置５と、を具備していることを特徴とするものであり、送風機１並びに超音波発振装置２は、前記蓄電装置５の電力により駆動するものとされている。
【００１９】
請求項３に係る本発明のカーブミラーの曇り防止装置は、上記請求項２に係る本発明のカーブミラーの曇り防止装置の構成に、さらに温度センサ６Ａ及び濡れセンサ６Ｂよりなる検知手段６と、前記検知手段６により検知された値に従って送風機１並びに超音波発振装置２の駆動を制御する制御手段７と、を具備することを特徴とするものである。
【００２０】
ここで送風機１と超音波発振装置２は、蓄電装置５の電力により駆動するものとされている。
送風機１としては公知の送風機であればよく、特に制限はないが、通常は小型の電動ファンが用いられる。
また、超音波発振装置２としても公知の超音波発振装置であればよく、特に制限はない。
【００２１】
蓄電装置５は、風力発電装置３及び／又は太陽光発電装置４から得られる電力を蓄電するものである。
風力発電装置３としては、微風でも反応すること、及び風向きに関係ないことから、図示したような二重螺旋形の風車を備えたものが好ましい。
また、太陽光発電装置３は、いわゆる太陽電池（ソーラーバッテリー）のことであって、太陽光発電モジュールからなるものである。
このような風力発電装置３と太陽光発電装置４は、その一方のみを用いてもよいし、両者を併用してもよい。
このような風力発電装置３及び／又は太陽光発電装置４を用いて発電し、ここから得られる電力を蓄電装置（バッテリー）５に蓄電し、この蓄電装置５の電力により、送風機１並びに超音波発振装置２を駆動することになる。従って、太陽光がなく、また、天候の悪いときなどにおいても、カーブミラーの曇りを有効に防止することができる。
【００２２】
なお、送風機１並びに超音波発振装置２の駆動の制御は、制御手段７によって行われる。この制御手段７は、温度センサ６Ａ及び濡れセンサ６Ｂよりなる検知手段６により検知された値に従って、送風機１並びに超音波発振装置２の駆動を制御している。検知手段６を構成するのは、温度センサ６Ａと濡れセンサ６Ｂである。
従って、検知手段６を構成する温度センサ６Ａと濡れセンサ６Ｂとにより、外気温の変化とカーブミラーの濡れを自動的に捉え、前記検知手段により検知された値に従って制御手段７が、送風機１並びに超音波発振装置２の駆動を制御し、作動させることになる。
【００２３】
本発明のカーブミラーの曇り防止装置は、以上述べた如き送風機１、超音波発振装置２、風力発電装置３及び／又は太陽光発電装置４、蓄電装置５、温度センサ６Ａ及び濡れセンサ６Ｂよりなる検知手段６、制御手段７を備えているものである。
【００２４】
本発明のカーブミラーの曇り防止装置についてより具体的に述べると、蓄電装置５、温度センサ６Ａ及び濡れセンサ６Ｂよりなる検知手段６、制御手段７などは、故障防止の観点から、ボックスＦ内に納められ、カーブミラーＡの庇Ｃの上面に固定されている。
このボックスＦは、カーブミラーＡの庇Ｃの上面に載置しうるものとされており、通常、その両サイドに空気導入孔Ｇが設けられている。
そして、このボックスＦの外側には、通常、その中央下部には、送風機１と超音波発振装置２が取り付けられている。
【００２５】
従って、カーブミラーＡの庇Ｃに、予め送風機１と超音波発振装置２を受け入れるための窓口を開けておき、この窓口を通して送風機１と超音波発振装置２をカーブミラーＡの庇Ｃの下面側（庇の内側位置）に位置するように設置する。
設置するにあたっては、送風機１は、図２に示すように、カーブミラーＡの庇Ｃの下面（庇の内側）であって、カーブミラーの凸面鏡全面に風を送ることができる位置に設置する。そして、超音波発振装置２が、この送風機１の直近であって、送風機１による送風と同時にカーブミラーの凸面鏡全面に超音波が発振できる位置に設置される。
【００２６】
なお、風力発電装置３は、最もよく風を受けるためにカーブミラーＡのポールＤの上部に取り付けられている。
また、太陽光発電装置４は、カーブミラーＡのポールＤの上方に取り付けられており、その向きは設置場所において１年を通して日照時間の一番長い方向としておくことが望ましい。
【００２７】
請求項１〜３に係る本発明は、基本的には以上の如き構成を有するものである。
このような本発明のカーブミラーの曇り防止装置によれば、道路に設置されるカーブミラーの表面に付着した霜や、雨風に吹かれ凸面鏡の表面を濡らし水滴となったものを、自然でクリーンなエネルギー（太陽光発電、風力発電）を利用して送風機１と超音波発振装置２を駆動させ、送風と同時に超音波を発振させることによって自動的に除去することができる。
【００２８】
このようなカーブミラーの曇り防止方法を提供するのが、請求項５に係る本発明であって、カーブミラーの曇りを防止するにあたり、カーブミラーの表面に向けて、カーブミラーの表面全面に送風できる位置に設置された送風機１による送風と同時に、カーブミラーの表面全面に超音波を発振できる位置に設置された超音波発振装置２による超音波発振を行うことを特徴とするものである。
より具体的には請求項６に係る本発明のように、カーブミラーの曇りを防止するにあたり、風力発電装置３及び／又は太陽光発電装置４から得られる電力を蓄電装置５に蓄電し、前記蓄電装置５に蓄電された電力により送風機１並びに超音波発振装置２駆動させて、カーブミラーの表面に向けて、カーブミラーの表面全面に送風できる位置に設置された前記送風機１による送風と同時に、カーブミラーの表面全面に超音波を発振できる位置に設置された前記超音波発振装置２による超音波発振を行い、これによりカーブミラーの曇り防止を図る。
さらに、この際に、請求項７に係る本発明のように、温度センサ６Ａ及び濡れセンサ６Ｂよりなる検知手段６により検知された値に従って前記送風機１並びに前記超音波発振装置２の駆動を制御しつつ、カーブミラーの表面に向けて、カーブミラーの表面全面に送風できる位置に設置された前記送風機１による送風と同時に、カーブミラーの表面全面に超音波を発振できる位置に設置された前記超音波発振装置２による超音波発振を行い、これによりカーブミラーの曇り防止を図る方法が最も好ましい態様である。
【００２９】
本発明のカーブミラーの曇り防止装置においては、道路に設置されるカーブミラーの表面に付着した霜や、雨風に吹かれ凸面鏡の表面を濡らし水滴となったものを自動的に除去するために、温度センサ６Ａ及び濡れセンサ６Ｂよりなる検知手段６、制御手段７が組み込まれている。制御手段７は、後述するように、差動器ＩＣ１、コンピューターＩＣ３（１６Ｆ８４）、レコーダーＩＣ４（４５１１）、ラッチ（取り押さえ）回路などから構成される。
自動的に曇り防止を図るシステムについて、以下、図３に示す回路図を参照しつつ説明する。
【００３０】
まず電源としては、風力発電装置３及び／又は太陽光発電装置４と、蓄電装置５とが用いられている。
まず風力発電装置３を稼動させ、蓄電装置５を構成する電池Ｓu１及びＳu２により、蓄電池ＢＴ１及びＢＴ２へ充電させ、電源の確保を図る。
合わせて、昼間太陽光エネルギーを吸収して太陽光発電装置４を稼動させ、蓄電装置５を構成する電池Ｓu１及びＳu２により、蓄電池ＢＴ１及びＢＴ２へ充電させ、電源の確保を図る。
【００３１】
上記のように電源の確保を図った上で、まず、濡れセンサ６Ｂの微小な変化をトランジスターＴＲ１が受けるが、濡れがほとんどない間はＩＣ１Ａの出力は０となり、濡れが感じられるようになるとＩＣ１Ａの出力がＯＮとなって、リレーＲＹ１を動作することで、ファン及び超音波回路が働き、カーブミラーの曇り防止ができる。
次に、温度センサ６Ａ（温度感知センサＳＥＮ）が周囲の温度を感知して指示温度（例えば、０°）になるとＯＮするように、押釦スイッチＰｂ１とＰｂ２を使用して、温度表示計ＴＬＲ３４６Ｔの表示を見ながら指示温度を設定する。
押釦スイッチＰｂ１とＰｂ２によってコンピューターＩＣ３（１６Ｆ８４）に書き込まれて設定が打ち込まれますと、温度センサ６Ａ（温度感知センサＳＥＮ）から入った温度信号は、制御手段７を構成する差動器ＩＣ１よりコンピューターＩＣ３（１６Ｆ８４）に入り、コンピューター出力がレコーダーＩＣ４（４５１１）とラッチ（取り押さえ）回路によって温度表示計ＴＬＲ３４６Ｔに表示され、設定値以下に周囲の温度が下がると、リレーＲＹ２がＯＮする。
【００３２】
リレーＲＹ２がＯＮすると、同時にリレーＲＹ３が動作し、送風機１と、超音波発振装置２における超音波発振回路ＴＳＭに電圧が加わって、超音波発振回路のＡとＢによって無安定バイブレーターが構成されて超音波を連続的に発振し、Ｄ、Ｃの増幅器としてコンデンサーＣ（０．０１μＦ）によって直流分を取り除き、超音波電流をトランスミッターＴＳＭ発振子によってカーブミラーの表面（凸面鏡）に超音波を吹き付け、送風機１からの送風との相乗効果により、強力に曇り防止を行う。
このようにカーブミラーの表面（凸面鏡）に向けて、送風機１による送風と同時に、超音波発振装置２によって超音波を発振することにより、強力に曇り防止を行うことができる。
【００３３】
なお、気温が上がったり、或いは雨風が収まった場合には、温度センサ６Ａ及び濡れセンサ６Ｂよりなる検知手段６がその状況を検知し、制御手段７を介して、送風機１並びに超音波発振装置２の駆動を停止させることになる。
【００３４】
さらに、本発明は、上記した如きカーブミラーの曇り防止装置を取り付けたカーブミラーをも提供するものである。
すなわち、請求項４に係る本発明は、請求項１〜３のいずれかに記載のカーブミラーの曇り防止装置を取り付けてなるカーブミラーを提供するものである。
【００３５】
【発明の効果】
本発明のカーブミラーの曇り防止装置、及び該カーブミラーの曇り防止装置を取り付けてなる本発明のカーブミラー、並びに本発明のカーブミラーの曇り防止方法によれば、道路に設置されるカーブミラーの表面に付着した霜や、雨風に吹かれ凸面鏡の表面を濡らし水滴となったものを自動的に強力に除去することができる。
【００３６】
しかも、本発明のカーブミラーの曇り防止装置並びに該カーブミラーの曇り防止装置を取り付けてなる本発明のカーブミラーは、自然でクリーンなエネルギー（太陽光発電、風力発電）を利用して自動的に除去するものであるため、環境に負荷をかけるおそれがない。
【００３７】
さらに、本発明のカーブミラーの曇り防止装置は、カーブミラーの一基一基に独立的に設置でき、設置施工が比較的簡単であり、しかも比較的安価に設置施工することができる。
【００３８】
よって、本発明のカーブミラーの曇り防止装置並びに該カーブミラーの曇り防止装置を取り付けてなる本発明のカーブミラーは、交通安全に寄与するところ大なるものである。
【図面の簡単な説明】
【図１】本発明のカーブミラーの曇り防止装置を取り付けてなるカーブミラーの一態様を示す説明図である。
【図２】図１における曇り防止装置を取り付けてなるカーブミラー本体部の断面状態を示す説明図である。
【図３】本発明のカーブミラーの曇り防止装置の一態様を示す回路図である。
【符号の説明】
１  送風機
２  超音波発振装置
３  風力発電装置
４  太陽光発電装置
５  蓄電装置
６  検知手段
６Ａ  温度センサ
６Ｂ  濡れセンサ５Ｂ
７  制御手段
Ａ  カーブミラー全体
Ｂ  （カーブミラーの）凸面鏡
Ｃ  （カーブミラーの）庇
Ｄ  ポール（支柱）
Ｅ  ポール取付け具
Ｆ  ボックス
Ｇ  空気導入孔
【図１】
0003625286.tif 000002
【図２】
0003625286.tif 000003
【図３】
0003625286.tif 000004